(57)【要約】【課題】高さ調整可能なコーナー型枠を提供する。【解決手段】コーナー型枠２は、片面がコンクリート打設面となる、屈曲された堰板部３と、堰板部３に沿って屈曲されたプレート部４であって、堰板部３に対して高さ方向にスライド移動可能に構成されたプレート部４と、を備えている。このような構成であれば、堰板部３に対してプレート部４を上下にスライド移動させることで、スラブ間の高さの相違に応じてコーナー型枠２の高さを調整することができるようになる。【選択図】図１
2019196598.tif 000002
【特許請求の範囲】
【請求項１】
片面がコンクリート打設面となる、屈曲された堰板部と、
前記堰板部に沿って屈曲されたプレート部であって、前記堰板部に対して高さ方向にスライド移動可能に構成されたプレート部と、を備える、高さ調整可能なコーナー型枠。
【請求項２】
前記堰板部は、高さ方向に延びる鞘部を有するとともに、前記プレート部は、高さ方向に延びる挿入部を有し、
前記プレート部の前記挿入部は、前記堰板部の前記鞘部に挿入されて、前記堰板部に対して高さ方向にスライド移動可能に形成されている、請求項１に記載された高さ調整可能なコーナー型枠。
【請求項３】
前記プレート部の前記挿入部は、前記堰板部の前記鞘部に対して、高さ方向に任意の位置で固定できるようになっている、請求項２に記載された高さ調整可能なコーナー型枠。
【請求項４】
前記プレート部は、前記堰板部の前記コンクリート打設面側にスライド移動可能に重ね合わされている、請求項１乃至請求項３のいずれか一項に記載された高さ調整可能なコーナー型枠。
【請求項５】
前記堰板部は、連結孔が設けられた底板部を有するとともに、前記プレート部は、連結孔が設けられた天板部を有し、
他のコーナー型枠と高さ方向に連結できるようになっている、請求項１乃至請求項４のいずれか一項に記載された高さ調整可能なコーナー型枠。
【請求項６】
前記堰板部及び前記プレート部は、９０度に屈曲されている、請求項１乃至請求項５のいずれか一項に記載された高さ調整可能なコーナー型枠。
【請求項７】
前記堰板部及び前記プレート部は、４５度又は１３５度に屈曲されている、請求項１乃至請求項５のいずれか一項に記載された高さ調整可能なコーナー型枠。
【請求項８】
前記堰板部は、４５度に屈曲された第１堰板部と、１３５度に屈曲された第２堰板部と、を一体に有するとともに、
前記プレート部は、別体である、４５度に屈曲された第１プレート部と、１３５度に屈曲された第２プレート部と、から構成されて、
前記第１プレート部又は前記第２プレート部を、それぞれ第１堰板部又は第２堰板部に付け替えて使用できるようになっている、請求項７に記載された高さ調整可能なコーナー型枠。
【請求項９】
請求項５に記載された１つの高さ調整可能なコーナー型枠と、
１つ又は複数の高さが固定されたコーナー型枠であって、片面がコンクリート打設面となる屈曲された堰板部と、連結孔が設けられた底板部と、連結孔が設けられた頂板部と、を有する、高さが固定されたコーナー型枠と、
を組み合わせて構成される、高さ調整可能なコーナー型枠システム。
【発明の詳細な説明】
【技術分野】
【０００１】
本発明は、コンクリート打設用の高さ調整可能なコーナー型枠と、このコーナー型枠を使用するコーナー型枠システムに関するものである。
【背景技術】
【０００２】
従来から、コンクリート打設用の型枠（以下「コンクリート型枠」または単に「型枠」と称する）としては、安価で加工もしやすく軽量であるベニヤ合板等からなる堰板の背面に桟木をくぎ打ちした合板型枠が用いられている。
【０００３】
しかしながら、この従来の合板型枠は、（１）桟木の固定や型枠の連結に釘打ち作業が必要となるため施工性が悪い、（２）釘打ちや堰板の表面に塗布されるコンクリート剥離剤によって型枠が痛みやすいため転用回数が少ない、（３）転用回数を超えたものはリサイクルに不向きであるため焼却処分することになる、といった欠点があった。
【０００４】
そこで、例えば、特許文献１のコンクリート打設用コーナー型枠は、片面がコンクリート打設面となる、屈曲した堰板部と、堰板部の両側縁から堰板部のコンクリート打設面の反対側に直角に屈曲した側板部とを有し、少なくとも一方の側板部の外側表面には、片側側面が堰板部のコンクリート打設面と同一平面とされた鉛直方向に延びる凸条部が突設されていることを特徴としている。このような構成によって、型枠の接続部分からコンクリートが漏れにくく、横ばた材で押さえ込むことができ、軽量で施工性がよく、耐久性が高く、リサイクル可能なコンクリート打設用コーナー型枠となる。
【先行技術文献】
【特許文献】
【０００５】
【特許文献１】特開２００４−３４６５６９号公報
【発明の概要】
【発明が解決しようとする課題】
【０００６】
しかしながら、特許文献１の構成を含む従来のコーナー型枠は、一定の高さ寸法に形成されるものであり、高層建築物などに見られるような階毎にスラブ間の高さ寸法が異なるコーナー部に連続して適用することはできなかった。
【０００７】
そこで、本発明は、高さ調整可能なコーナー型枠と、このコーナー型枠を備えるコーナー型枠システムと、を提供することを目的としている。
【課題を解決するための手段】
【０００８】
前記目的を達成するために、本発明の高さ調整可能なコーナー型枠は、片面がコンクリート打設面となる、屈曲された堰板部と、前記堰板部に沿って屈曲されたプレート部であって、前記堰板部に対して高さ方向にスライド移動可能に構成されたプレート部と、を備えている。
【０００９】
より具体的に言うと、前記堰板部は、高さ方向に延びる鞘部を有するとともに、前記プレート部は、高さ方向に延びる挿入部を有し、前記プレート部の前記挿入部は、前記堰板部の前記鞘部に挿入されて、前記堰板部に対して高さ方向にスライド移動可能に形成されている。
【００１０】
また、本発明の高さ調整可能なコーナー型枠システムは、上述した高さ調整可能なコーナー型枠と、１つ又は複数の高さが固定されたコーナー型枠であって、片面がコンクリート打設面となる屈曲された堰板部と、連結孔が設けられた底板部と、連結孔が設けられた頂板部と、を有する、高さが固定されたコーナー型枠と、を組み合わせて構成されている。
【発明の効果】
【００１１】
このように、本発明の高さ調整可能なコーナー型枠は、片面がコンクリート打設面となる、屈曲された堰板部と、堰板部に沿って屈曲されたプレート部であって、堰板部に対して高さ方向にスライド移動可能に構成されたプレート部と、を備えている。このような構成であれば、堰板部に対してプレート部をスライド移動させることで、スラブ間の高さの相違に応じてコーナー型枠の高さを調整することができるようになる。
【００１２】
また、本発明の高さ調整可能なコーナー型枠システムは、上述した高さ調整可能なコーナー型枠と、１つ又は複数の高さが固定されたコーナー型枠であって、片面がコンクリート打設面となる屈曲された堰板部と、連結孔が設けられた底板部と、連結孔が設けられた頂板部と、を有する、高さが固定されたコーナー型枠と、を組み合わせて構成されている。このような構成であれば、数個のコーナー型枠を組み合わせることで、スラブ間の高さの相違に対応して、コーナー型枠の高さを調整することができるようになる。
【図面の簡単な説明】
【００１３】
【図１】実施例１のコーナー型枠システムの斜視図である。
【図２】実施例１の高さ調整可能なコーナー型枠の分解図である。
【図３】実施例１の高さ調整可能なコーナー型枠の断面図である。
【図４】実施例１の高さが固定されたコーナー型枠の斜視図である。（ａ）は相対的に高さが低い場合であり、（ｂ）は相対的に高さが高い場合である。
【図５】実施例１のコーナー型枠システムの使用状態の断面図である。
【図６】実施例１のコーナー型枠システムの作用図である。
【図７】実施例２の高さ調整可能なコーナー型枠の斜視図である。
【図８】実施例２の高さ調整可能なコーナー型枠の断面図である。４５度を使用する場合である。
【図９】実施例２の高さ調整可能なコーナー型枠の断面図である。１３５度を使用する場合である。
【発明を実施するための形態】
【００１４】
以下、本発明の実施の形態について図面を参照して説明する。ただし、以下の実施例に記載されている構成要素は例示であり、本発明の技術範囲をそれらのみに限定する趣旨のものではない。
【実施例１】
【００１５】
（高さ調整可能なコーナー型枠の構成）
まず、図１を用いて本発明の高さ調整可能なコーナー型枠２の全体構成について説明する。高さ調整可能なコーナー型枠２は、図１に示すように、全体としてＣ字断面の柱状に構成されるものであり、片面がコンクリート打設面となる、屈曲された堰板部３と、堰板部３の上部に取り付けられる、堰板部３に対して高さ方向にスライド移動可能に構成されたプレート部４と、を備えている。
【００１６】
この高さ調整可能なコーナー型枠２は、それ自体が、複数の高さ寸法を備えて構成されることが好ましい。具体的には、３００（ｍｍ）のもの、６００（ｍｍ）のもの、９００（ｍｍ）のもの、１２００（ｍｍ）のもの、１５００（ｍｍ）のもの、１８００（ｍｍ）のものなど、基準となる寸法（ここでは３００（ｍｍ））の整数倍とすることが好ましい。
【００１７】
そして、後述するプレート部４の高さ調整範囲を０（ｍｍ）から３００（ｍｍ）とすれば、結局のところ、コーナー型枠２は、それぞれ３００〜６００（ｍｍ）、６００〜９００（ｍｍ）のもの、９００〜１２００（ｍｍ）、１２００〜１５００（ｍｍ）、１５００〜１８００（ｍｍ）、１８００〜２１００（ｍｍ）の高さ範囲をカバーできる。
【００１８】
あるいは、高さ調整可能なコーナー型枠２自体は、所定の高さとしつつ、後述する高さが固定されたコーナー型枠（５Ａ、５Ｂ）と組み合わせることで、複数の高さとすることも可能である。
【００１９】
堰板部３は、図２に示すように、長方形の薄い金属板を９０度に屈曲して形成された打設部３１、３２と、打設部３１、３２の両端を内側に（すなわち、コンクリート打設面から垂直に）９０度屈曲して形成された側板部３３、３４と、を備えている。堰板部３は、例えば、２（ｍｍ）の鋼板によって構成することができる。
【００２０】
打設部３１、３２の下端には、下端を塞ぐようにして五角形の底板部３５が取り付けられるとともに、打設部３１、３２の上端には、側板部３３、３４の近傍を切り欠いた頂板部３６が取り付けられている。さらに、底板部３５と頂板部３６の間には、これらと平行に補強用の３枚のリブ部３７、・・・が取り付けられている。そして、底板部３５には、３つの連結孔３５ａ、・・・が設けられている。したがって、ボルト・ナット等の連結手段によって、コーナー型枠２の下側に、他のコーナー型枠を連結できるようになっている。
【００２１】
そして、本実施例の側板部３３、３４には、高さ方向に延びる鞘部３８、３９が形成されている。すなわち、側板部３３（３４）の内面には、それぞれ高さ方向に延びる２枚の板３３a、３３ａ（３４ａ、３４ａ）が取り付けられるとともに、さらにその内側に横方向（水平方向）に渡される２枚の板３３ｂ、３３ｂ（３４ｂ、３４ｂ）が、上下に間隔を空けて取り付けられており、これらの４枚の板３３ａ、３３ａ、３３ｂ、３３ｂ（３４ａ、３４ａ、３４ｂ、３４ｂ）によって鞘部３８（３９）が構成されている。
【００２２】
この２枚の板３３ａ、３３ａの間隔・厚みに相当する空隙に、後述するプレート部４の挿入部４４がスライド移動自在に挿入される。さらに、図３の断面図に示すように、内側の板３３ｂには、雌ネジ孔３３ｃが螺刻されて、雄ネジ３３ｄが螺合されている。そして、この雄ネジ３３ｄを締め付けることによって、プレート部４の挿入部４４が、高さ方向に任意の位置で固定できるようになっている。
【００２３】
プレート部４は、図２に示すように、長方形の薄い金属板を９０度に屈曲して形成された打設部４１、４２を備えている。プレート部４は、堰板部３よりも薄い金属板によって形成されており、例えば、１（ｍｍ）の鋼板によって構成できる。
【００２４】
プレート部４の打設部４１、４２の上端には、上端を塞ぐようにして五角形の頂板部４３が取り付けられている。そして、頂板部４３には、３つの連結孔４３ａ、・・・が設けられている。したがって、ボルト・ナット等の連結手段によって、コーナー型枠２の上側に、他のコーナー型枠を連結できるようになっている。
【００２５】
そして、頂板部４３には、高さ方向に延びる挿入部４４、４４が取り付けられている。すなわち、頂板部４３の下面には、Ｌ字に（すなわち、９０度に）屈曲された細長い金属板である挿入部４４、４４が取り付けられている。挿入部４４、４４は、前述した堰板部３の鞘部３８、３９に挿入されて、図３に示すように、雄ネジ３３ｄ、３３ｄによって側板部３３、３４に押し付けられて任意の位置に固定されるようになっている。
【００２６】
さらに、図１に示すように、プレート部４の打設部４１、４２は、それぞれ堰板部３の打設部３１、３２の外側に、すなわちコンクリート打設面側に、スライド移動自在に重ね合わされている。したがって、より詳細に言えば、堰板部３とプレート部４の表面（外面）には、プレート部４の厚みに相当するだけの段差が生じている。
【００２７】
（高さが固定されたコーナー型枠の構成）
高さが固定されたコーナー型枠５Ａは、図４（ａ）に示すように、長方形の薄い金属板を９０度に屈曲して形成された堰板部５０を構成する打設部５１、５２と、打設部５１、５２の両端を内側に（すなわち、コンクリート打設面から離れる方向に垂直に）９０度屈曲して形成された側板部５３、５４と、を備えている。そして、高さが固定されたコーナー型枠５Ａ（５Ｂ）は、前述した高さ調整可能なコーナー型枠２と略同一の断面形状を有している。この高さが固定されたコーナー型枠５Ａは、例えば、２（ｍｍ）の鋼板によって構成することができる。
【００２８】
打設部５１、５２の下端には、下端を塞ぐようにして五角形の底板部５５が取り付けられるとともに、打設部５１、５２の上端には、上端を塞ぐようにして五角形の頂板部５６が取り付けられている。そして、底板部５５及び頂板部５６には、それぞれ３つの連結孔５５ａ、・・・、５６ａ、・・・が設けられている。したがって、コーナー型枠２のさらに下側及び上側に、他のコーナー型枠を連結できるようになっている。
【００２９】
同様に、もう１つの高さが固定されたコーナー型枠５Ｂは、図４（ｂ）に示すように、打設部５１、５２と、側板部５３、５４と、を備えて構成されている。このもう１つの高さが固定されたコーナー型枠５Ｂは、高さ寸法が約２倍になっている他は、前述した高さが固定されたコーナー型枠５Ａと同様の構成である。
【００３０】
すなわち、図４（ａ）、（ｂ）に示すように、高さが固定されたコーナー型枠５Ａ、５Ｂは、複数の高さ寸法を備えて構成されている。具体的には、３００（ｍｍ）のもの、６００（ｍｍ）のもの、９００（ｍｍ）のもの、１２００（ｍｍ）のもの、１５００（ｍｍ）のもの、１８００（ｍｍ）のものなど、基準となる寸法（ここでは３００（ｍｍ））の整数倍とすることが好ましい。
【００３１】
そして、高さ調整可能なコーナー型枠２と、１つ又は複数の高さが固定されたコーナー型枠５Ａ（５Ｂ）とによって、高さ調整可能なコーナー型枠システムＳが構成されている。なお、このように組み合わせる場合は、高さ調整可能なコーナー型枠２の堰板部３は、一定の高さとすることが可能である。
【００３２】
（作用）
次に、図５及び図６を用いて、本実施例の高さ調整可能なコーナー型枠２及び高さが固定されたコーナー型枠５Ａ、５Ｂの作用について説明する。図５の断面図に示すように、本実施例のコーナー型枠２（５Ａ、５Ｂ）は、入隅に配置されて、コーナーの直角部分を正確に９０度に成形するようになっている。より具体的に言うと、コーナー型枠２の堰板部３の打設部３１、３２及びプレート部４の打設部４１、４２によって、直角部分が構成されるとともに、側板部３３、３４に連続するように合板９０及び桟木９１によって平面の型枠が構成されている。
【００３３】
そして、図６に示すように、本実施例のコーナー型枠２は、プレート部４が上方にスライド移動することによって、高さ方向の寸法を自在に調整することができるようになっている。具体的に言うと、所望の高さまでプレート部４を上方又は下方にスライド移動させた後、雄ネジ３３、３３を締め付けることで挿入部４４、４４を側板部３３、３４に押し付けて固定する。このような手順によって、所望の高さ寸法を有するコーナー型枠２を得ることができる。その後、コーナー型枠２の上に上階のスラブを構築していく手順となる。
【００３４】
そして、別の階などの高さ寸法の異なる場所に対してコーナー型枠２を転用する場合には、これと同様の手順によって、異なる高さに対応させることが可能となる。このように、転用可能なコーナー型枠２であれば、桟木の固定や型枠の連結に釘打ち作業が必要ない、転用回数が多い、産業廃棄物が発生しない、といった利点がある。
【００３５】
さらに言うと、大きく異なる高さを有する箇所にコーナー型枠２を転用する場合には、別の高さ寸法を有するコーナー型枠（２）を適用するか、又は、コーナー型枠２の下に、高さの固定されたコーナー型枠５Ａ（５Ｂ）を連結することによって、対応させることができるようになっている。
【００３６】
（効果）
次に、本実施例の高さ調整可能なコーナー型枠２の奏する効果を列挙して説明する。
【００３７】
（１）上述してきたように、本実施例のコーナー型枠２は、片面がコンクリート打設面となる、屈曲された堰板部３と、堰板部３に沿って屈曲されたプレート部４であって、堰板部３に対して高さ方向にスライド移動可能に構成されたプレート部４と、を備えている。このような構成であれば、堰板部３に対してプレート部４を上下にスライド移動させることで、スラブ間の高さの相違に応じてコーナー型枠２の高さを調整することができるようになる。したがって、桟木の固定や型枠の連結に釘打ち作業が必要ない、転用回数が多い、産業廃棄物が発生しない、といった利点がある。
【００３８】
（２）また、堰板部３は、高さ方向に延びる鞘部３８、３９を有するとともに、プレート部４は、高さ方向に延びる挿入部４４、４４を有し、プレート部４の挿入部４４は、堰板部３の鞘部３８、３９に挿入されて、堰板部３に対して高さ方向にスライド移動可能に形成されている。このように、簡単な構成によってスライド移動可能なプレート部４を構築できるため、既存の鋼板などの材料を（再）利用してコーナー型枠２を製作することができる。
【００３９】
（３）さらに、プレート部４の挿入部４４は、堰板部３の鞘部３８、３９に対して、高さ方向に任意の位置で固定できるようになっているため、あらゆる高さの階高さに対応することができるようになる。
【００４０】
（４）また、プレート部４は、堰板部３のコンクリート打設面側にスライド移動可能に重ね合わされているため、堰板部３の内側にリブ部３７等の補強構造を構築できるようになる。さらに、プレート部４を可能な限り薄くすることで、出来上がりのコンクリート構造の段差（断面欠損）を最小限に抑えることができる。
【００４１】
（５）さらに、堰板部３は、連結孔３５ａ、・・・が設けられた底板部３５を有するとともに、プレート部４は、連結孔４３ａが設けられた頂板部４３を有し、他のコーナー型枠（２）と高さ方向に連結できるようになっている。このように連結可能に構成すれば、少ない寸法バリエーションで多数の高さに対応できるようになる。
【００４２】
（６）また、堰板部３及びプレート部４は、９０度に屈曲されているため、使用頻度の最も多い９０度の入隅部に適用可能であり、かつ、正確な角度・形状のコンクリート構造を構築することができる。
【００４３】
（７）そして、本実施例のコーナー型枠システムＳは、上述したいずれかの高さ調整可能なコーナー型枠２と、１つ又は複数の高さが固定されたコーナー型枠５Ａ（５Ｂ）であって、片面がコンクリート打設面となる屈曲された堰板部５０と、連結孔５５ａが設けられた底板部５５と、連結孔５６ａが設けられた頂板部５６と、を有する、高さが固定されたコーナー型枠５Ａ（５Ｂ）と、を組み合わせて構成される。このような構成であれば、プレート部４によって調整可能な範囲を超える部分は、高さが固定されたコーナー型枠５Ａ（５Ｂ）によって調整することで、幅広い高さ範囲に対応することができるようになる。
【実施例２】
【００４４】
以下、図７〜図９を用いて、実施例１とは別形状の高さ調整可能なコーナー型枠６について説明する。なお、実施例１で説明した内容と同一乃至均等な部分の説明については同一符号を付して説明する。
【００４５】
（構成）
まず、図７を用いて、本実施例のコーナー型枠６の構成について説明すると、コーナー型枠６は、片面がコンクリート打設面となる、屈曲された堰板部６１〜６４と、堰板部６１〜６４に沿って屈曲されたプレート部６５、６６であって、堰板部６１〜６４に対して高さ方向にスライド移動可能に構成されたプレート部６５、６６と、を備えている。すなわち、堰板部６１、６２は、４５度の角度に屈曲されるとともに、堰板部６３、６４は、１３５度の角度に屈曲される。
【００４６】
そして、図７に示すように、本実施例のコーナー型枠６では、堰板部６１〜６４は、４５度に屈曲された第１堰板部６１、６２と、１３５度に屈曲された第２堰板部６３、６４と、をすべて一体に有している。一方、プレート部６５、６６は、別体として構成されるものであり、４５度に屈曲された第１プレート部６５と、１３５度に屈曲された第２プレート部６６と、から構成されている。
【００４７】
そして、角度の異なる第１プレート部６５又は第２プレート部６６は、それぞれ第１堰板部６１、６２又は第２堰板部６３、６４に付け替えて使用できるようになっている。すなわち、入隅や出隅において、４５度が必要な場合には、第１プレート部６５を第１堰板部６１、６２に取り付けて使用し、１３５度が必要な場合には、第２プレート部６６を第２堰板部６３、６４に取り付けて使用する。
【００４８】
（作用）
次に、図８、図９を用いて、本実施例のコーナー型枠６の作用について説明する。図８の断面図に示すように、本実施例のコーナー型枠６は、外型枠として使用され、コーナーを正確に１３５度に成形するようになっている。より具体的に言うと、コーナー型枠６の堰板部６１、６２の４５度の角度部分を使用して、これと連続するように合板９０及び桟木９１によって平面の型枠が構成されている。この場合は、４５度のプレート部６５を使用することになる。
【００４９】
同様に、図９の断面図に示すように、本実施例のコーナー型枠６は、内型枠として使用され、コーナーを正確に１３５度に成形するようになっている。より具体的に言うと、コーナー型枠６の堰板部６１、６２の１３５度の角度部分を使用して、これと連続するように合板９０及び桟木９１によって平面の型枠が構成されている。この場合は、１３５度のプレート部６６を使用することになる。
【００５０】
そして、本実施例のコーナー型枠６は、プレート部６５、６６が上方にスライド移動することによって、高さ方向の寸法を自在に調整することができるようになっている。そして、別の階などの高さ寸法の異なる場所に対してコーナー型枠６を転用する場合には、これと同様の手順によって、異なる高さに対応させることが可能となる。このように、転用可能なコーナー型枠２であれば、桟木の固定や型枠の連結に釘打ち作業が必要ない、転用回数が多い、産業廃棄物が発生しない、といった利点がある。
【００５１】
（効果）
次に、本実施例のコーナー型枠６の奏する効果を列挙して説明する。
【００５２】
（１）上述してきたように、コーナー型枠６では、堰板部６１〜６４は、４５度に屈曲された第１堰板部６１、６２と、１３５度に屈曲された第２堰板部６３、６４と、を一体に有するとともに、プレート部６５、６６は、別体に構成される、４５度に屈曲された第１プレート部６５と、１３５度に屈曲された第２プレート部６６と、から構成されており、第１プレート部６５又は第２プレート部６６を、それぞれ第１堰板部６１、６２又は第２堰板部６３、６４に付け替えて使用できるようになっている。このような構成であれば、堰板部６１〜６４に対してプレート部６５（６６）を上下にスライド移動させることで、スラブ間の高さの相違に応じてコーナー型枠６の高さを調整することができるようになる。したがって、桟木の固定や型枠の連結に釘打ち作業が必要ない、転用回数が多い、産業廃棄物が発生しない、といった利点がある。さらに、１つのコーナー型枠６のみによって、内型枠と外型枠の両方に適用することができる。
【００５３】
なお、この他の構成および作用効果については、前記実施の形態と略同様であるため説明を省略する。
【００５４】
以上、図面を参照して、本発明の実施例を詳述してきたが、具体的な構成は、この実施例に限らず、本発明の要旨を逸脱しない程度の設計的変更は、本発明に含まれる。
【００５５】
例えば、実施例では詳述しなかったが、コーナー型枠２とコーナー型枠５Ａ（５Ｂ）の連結は、必ずしもボルト・ナットのみに限定されるものではない。凹凸を設けただけであってもよいし、上下を連結できる構成であれば、どのような連結手段であっても適用できる。
【００５６】
さらに、実施例では詳述しなかったが、側板部３３、３４には、合板９０や桟木９１と接合しやすいように、孔などを設けることも好ましい。
【符号の説明】
【００５７】
Ｓ      ：コーナー型枠システム
２、５Ａ、５Ｂ、６：コーナー型枠
３      ：堰板部
４      ：プレート部
３１、３２：打設部
３３    ：側板部
３３ａ  ：板
３３ｂ  ：板
３３ｃ  ：雌ネジ孔
３３ｄ  ：雄ネジ
３４    ：側板部
３５    ：底板部
３５ａ  ：連結孔
３６    ：頂板部
３７    ：リブ部
３８    ：鞘部
３９    ：鞘部
４１、４２：打設部
４３    ：頂板部
４３ａ  ：連結孔
４４    ：挿入部
５０    ：堰板部
５１、５２：打設部
５３、５４：側板部
５５    ：底板部
５５ａ  ：連結孔
５６    ：頂板部
６１〜６４：堰板部
６５、６６：プレート部
９０    ：合板
９１    ：桟木
【図１】
2019196598.tif 000003
【図２】
2019196598.tif 000004
【図３】
2019196598.tif 000005
【図４】
2019196598.tif 000006
【図５】
2019196598.tif 000007
【図６】
2019196598.tif 000008
【図７】
2019196598.tif 000009
【図８】
2019196598.tif 000010
【図９】
2019196598.tif 000011
【手続補正書】
【提出日】平成30年7月30日(2018.7.30)
【手続補正１】
【補正対象書類名】特許請求の範囲
【補正対象項目名】全文
【補正方法】変更
【補正の内容】
【特許請求の範囲】
【請求項１】
片面がコンクリート打設面となる、屈曲された堰板部と、
前記堰板部に沿って屈曲されたプレート部であって、前記堰板部に対して高さ方向にスライド移動可能に構成されたプレート部と、を備え、
前記堰板部及び前記プレート部は、４５度又は１３５度に屈曲されており、
前記堰板部は、４５度に屈曲された第１堰板部と、１３５度に屈曲された第２堰板部と、を一体に有するとともに、
前記プレート部は、別体である、４５度に屈曲された第１プレート部と、１３５度に屈曲された第２プレート部と、から構成されて、
前記第１プレート部又は前記第２プレート部を、それぞれ第１堰板部又は第２堰板部に付け替えて使用できるようになっている、高さ調整可能なコーナー型枠。
【請求項２】
前記堰板部は、高さ方向に延びる鞘部を有するとともに、前記プレート部は、高さ方向に延びる挿入部を有し、
前記プレート部の前記挿入部は、前記堰板部の前記鞘部に挿入されて、前記堰板部に対して高さ方向にスライド移動可能に形成されている、請求項１に記載された高さ調整可能なコーナー型枠。
【請求項３】
前記プレート部の前記挿入部は、前記堰板部の前記鞘部に対して、高さ方向に任意の位置で固定できるようになっている、請求項２に記載された高さ調整可能なコーナー型枠。
【請求項４】
前記プレート部は、前記堰板部の前記コンクリート打設面側にスライド移動可能に重ね合わされている、請求項１乃至請求項３のいずれか一項に記載された高さ調整可能なコーナー型枠。
【請求項５】
前記堰板部は、連結孔が設けられた底板部を有するとともに、前記プレート部は、連結孔が設けられた天板部を有し、
他のコーナー型枠と高さ方向に連結できるようになっている、請求項１乃至請求項４のいずれか一項に記載された高さ調整可能なコーナー型枠。
【請求項６】
請求項５に記載された１つの高さ調整可能なコーナー型枠と、
１つ又は複数の高さが固定されたコーナー型枠であって、片面がコンクリート打設面となる屈曲された堰板部と、連結孔が設けられた底板部と、連結孔が設けられた頂板部と、を有する、高さが固定されたコーナー型枠と、
を組み合わせて構成される、高さ調整可能なコーナー型枠システム。